(57)【要約】【課題】  従来の首輪は首廻りの大きさの調節範囲が小さく不便であった。【解決手段】  首輪を鎖上部材１で構成し開口部３をもつ連結リング４の位置を変えることで広い調節範囲を実現したフリーサイズの首輪。【選択図】    図１
2005287484.tif 000002
【特許請求の範囲】
【請求項１】
鎖状部材の一方端の端リンクと鎖状部材の任意位置のリンクとを、開口部を有してなるＣ形の連結リンク゛の内側両端に引っかける、そして連結リングを、この連結リングがはまり合うミゾを両端付近に設け、中央部にネジの貫通穴と固定ネジによる広角のネジに逃し穴を有する閉鎖金具Ａ、及び閉鎖金具Ａと同様で中央部にメネジを有する閉鎖金具Ｂにより挟み込み、固着ネジにより閉鎖金具Ａ、Ｂを閉鎖して、その外を化粧カバーで被った鎖状部材の輪を構成することを特長とするフリーサイズの首輪。
【請求項２】
閉鎖金具Ａ、閉鎖金具Ｂをコの字形をなす化粧カバーで被った請求項１のフリーサイズの首輪。
【発明の詳細な説明】
【技術分野】  本考案は、家畜やペット等をつなぎ止めるため及び装飾の目的で首につける首輪に関するものである。
【背景技術】  従来の首輪は、帯状の皮革、ビニールあるいは布の一方端に止め金具、他方端に止め穴を持つもので首輪のサイズの調整範囲が狭く、子犬から成犬までの間に２回位いは大きいものに交換しなければならず経済的に無駄が多く、手間もかかり大変であった、また調整範囲が狭いため、購入して装着してみるとサイズが合わないということもあり甚だ面倒であった。
【発明開示】
【発明が解決しようとする課題】
本考案は、前記のように調整範囲が狭く、子犬から成犬まで使用できない等の欠点を解消するために考えられたものである。
【課題を解決するための手段】
本考案は、上記問題点を解決しようとするものであり、以下この考案を図面に基づいて詳細に説明する。第１図は、本考案の平面図、第２図はＡ矢視図の拡大図、第３図はＢ−Ｂの拡大断面図である。鎖状部材１の一方端のリンクに接続リング２を貫通溶接して儲け、他方端の端リンク１０に開口部３を有してなるＣ形の連結リング４に、前記開口部３を経過してＣ柄の内側一方端に引っかける、そして鎖状部材１の中間の任意のリンク５をも同様にして連結リング４の他方端内部に引っかける、連結リング４の直線部１３ａ、１３ｂ、１３ｃがはまり合う半丸ミゾ６ａ、６ｂを両端部に設け、また中央部にネジ貫通穴７及び皿ネジ角度より広角の皿ネジ逃し穴１４を有する略直方体の閉鎖金具Ａ１１、及び閉鎖金具Ａと同様で半丸ミゾ６ｃ、６ｄを有し、中央部には前記ネジ貫通穴７と同じ位置にメネジ８を有する閉鎖金具Ｂ１２とにより、連結リング４の中央直線部を挟み込み、開口部３を閉鎖して、固着ネジ９により両金具を固着する、そして弾性材のコの字形をなす化粧カバー１５差し込み係止させる。前記開口部３を経過して引っかけた端リング１０及びリンク５は、開口部３への経路と閉鎖されて外れることはなく、鎖状部材１の輪がつくられる。リンク５をどの位置にするかで任意の大きさの輪がつくられるのである。
【発明効果】
本考案は以上のような構造であるので鎖状部材１の長さいっぱいのサイズの首輪から長さ数リンクの小さいサイズの首輪まで任意のサイズにすることが出来るのである。
小さいサイズの首輪にしたときのリンク５から接続リング２までの余りの部分は繋紐の一部になるのである。このように容易に、首輪のサイズが大きな範囲で調整できるので、子犬の時から成犬になるまで、その時その時のサイズに合わせることが出来るのである。
またこれ一本で小型犬から大型犬にまで使用できるので、家畜やペットの首のサイズをきちんと測定しなくても、サイズ違いといったトラブルがなく便利であることなど、本考案の効果大なる所である。
【図面の簡単な説明】  第１図は、本考案の平面図である。
第２図は、矢視Ａの拡大である。
第３図は、Ｂ−Ｂの拡大断面図である。
第４図は、首輪のサイズを小さくした時の連結リング４の位置を仮想的に示した図である。
【符号の説明】
１‥‥鎖状部材
２‥‥接続リング
３‥‥開口部
４‥‥連結リング４
５‥‥リンク
６ａ  ６ｂ‥半丸ミゾ
６ｃ  ６ｄ‥半丸ミゾ
７‥‥ネジ貫通穴７
８‥‥メネジ
９‥‥固着ネジ
１０‥‥端リンク
１１‥‥閉鎖金具Ａ
１２‥‥閉鎖金具Ｂ
１３ａ  １３ｂ‥‥リング直線部
１４‥‥広角の皿穴逃し穴
１５‥‥化粧カバー
１６‥‥逃穴角度
１７‥‥皿ネジ角度
【図１】
2005287484.tif 000003
【図２】
2005287484.tif 000004
【図３】
2005287484.tif 000005
【手続補正書】
【提出日】平成16年11月9日(2004.11.9)
【手続補正１】
【補正対象書類名】明細書
【補正対象項目名】全文
【補正方法】変更
【補正の内容】
【発明の詳細な説明】
【技術分野】  本考案は、家畜やペット等をつなぎ止めるため及び装飾の目的で首につける首輪に関するものである。
【背景技術】  従来の首輪は、帯状の皮革、ビニールあるいは布の一方端に止め金具、他方端に止め穴を持つもので首輪のサイズの調整範囲が狭く、子犬から成犬までの間に２回位いは大きいものに交換しなければならず経済的に無駄が多く、手間もかかり大変であった、また調整範囲が狭いため、購入して装着してみるとサイズが合わないということもあり甚だ面倒であった。
【発明開示】
【発明が解決しようとする課題】
本考案は、前記のように調整範囲が狭く、子犬から成犬まで使用できない等の欠点を解消するために考えられたものである。
【課題を解決するための手段】
本考案は、上記問題点を解決しようとするものであり、以下この考案を図面に基づいて詳細に説明する。第１図は、本考案の平面図、第２図はＡ矢視図の拡大図、第３図はＢ−Ｂの拡大断面図である。鎖状部材１の一方端のリンクに接続リング２を貫通溶接して儲け、他方端の端リンク１０に開口部３を有してなるＣ形の連結リング４に、前記開口部３を経過してＣ柄の内側一方端に引っかける、そして鎖状部材１の中間の任意のリンク５をも同様にして連結リング４の他方端内部に引っかける、連結リング４の直線部１３ａ、１３ｂ、１３ｃがはまり合う半丸ミゾ６ａ、６ｂを両端部に設け、また中央部にネジ貫通穴７及び皿ネジ角度より広角の皿ネジ逃し穴１４を有する略直方体の閉鎖金具Ａ１１、及び閉鎖金具Ａと同様で半丸ミゾ６ｃ、６ｄを有し、中央部には前記ネジ貫通穴７と同じ位置にメネジ８を有する閉鎖金具Ｂ１２とにより、連結リング４の中央直線部を挟み込み、開口部３を閉鎖して、固着ネジ９により両金具を固着する、そして弾性材のコの字形をなす化粧カバー１５差し込み係止させる。前記開口部３を経過して引っかけた端リング１０及びリンク５は、開口部３への経路と閉鎖されて外れることはなく、鎖状部材１の輪がつくられる。リンク５をどの位置にするかで任意の大きさの輪がつくられるのである。
【発明効果】
本考案は以上のような構造であるので鎖状部材１の長さいっぱいのサイズの首輪から長さ数リンクの小さいサイズの首輪まで任意のサイズにすることが出来るのである。小さいサイズの首輪にしたときのリンク５から接続リング２までの余りの部分は繋紐の一部になるのである。このように容易に、首輪のサイズが大きな範囲で調整できるので、子犬の時から成犬になるまで、その時その時のサイズに合わせることが出来るのである。
またこれ一本で小型犬から大型犬にまで使用できるので、家畜やペットの首のサイズをきちんと測定しなくても、サイズ違いといったトラブルがなく便利であることなど、本考案の効果大なる所である。
【図面の簡単な説明】
【第１図】
は、本考案の平面図である。
【第２図】
は、矢視Ａの拡大である。
【第３図】
は、Ｂ−Ｂの拡大断面図である。
【符号の説明】
１‥‥鎖状部材
２‥‥接続リング
３‥‥開口部
４‥‥連結リング４
５‥‥リンク
６ａ  ６ｂ‥半丸ミゾ
６ｃ  ６ｄ‥半丸ミゾ
７‥‥ネジ貫通穴７
８‥‥メネジ
９‥‥固着ネジ
１０‥‥端リンク
１１‥‥閉鎖金具Ａ
１２‥‥閉鎖金具Ｂ
１３ａ  １３ｂ  １３ｃ‥‥リング直線部